(57)【特許請求の範囲】
【請求項１】
前面開口した断熱箱体と、この断熱箱体の前面開口縁に設けられた環状の突部と、前記断熱箱体の前面開口を開閉自在に閉塞する扉と、この扉裏面に設けられ、前記突部と当接するパッキンと、この扉の下方に位置し、前記扉から滴下する結露水を受ける露受皿とを備える温蔵庫において、
前記突部及びパッキンの下辺は、下方傾斜状に設けられていることを特徴とする温蔵庫。
【請求項２】
突部及び下辺は、左右から中央部に向かって下方傾斜状としたことを特徴とする請求項１記載の温蔵庫。
【請求項３】
パッキンの傾斜下端部に対応する扉裏面には、パッキンに跨る窪部を形成したことを特徴とする請求項１又は２いずれか記載の温蔵庫。
【請求項４】
扉裏面に親水性処理を施したことを特徴とする請求項１乃至請求項３いずれか記載の温蔵庫。
【請求項５】
親水性処理は、親水性塗料であることを特徴とする請求項４記載の温蔵庫。
【請求項６】
親水性処理は、格子状の筋を形成したものであることを特徴とする請求項４記載の温蔵庫。
【請求項７】
格子状の筋は、樹脂の一体成形であることを特徴とした請求項６記載の温蔵庫。
【発明の詳細な説明】
【０００１】
【発明の属する技術分野】
本発明は、タオル蒸し器などの温蔵庫に関する。
【０００２】
【従来の技術】
従来この種温蔵庫として、実開昭６０−１２２１４９号（Ａ６１Ｌ２／０４）には、断熱箱体の上部と下部にタオル収納室を形成し、夫々の前面に上段扉、下段扉を設け、同扉のパッキングの下部に夫々露出した穴を設けると共に、下段扉のパッキングの上部に上段扉のパッキングの露出した穴に対向する露受け穴を設け、かつ上段扉の下側に結露水を下段扉のパッキング側に案内するためのガイド板を設けてなることを特徴とするタオル蒸し器が開示されている。
【０００３】
【発明が解決しようとする課題】
上述した様な従来技術では、扉を閉めた状態の時に、扉裏面に付着した結露水を、前記本体下部に取り付けた露受皿に案内するものである。然し乍ら、タオル収納室に収納すオシボリの収納量が多い場合には、扉に多量の水滴が付着し、この状態で扉を開閉すると水滴が滴下して床面などを濡らしてしまうという問題がある。
【０００４】
本発明は上述した問題点に鑑みてなされたもので、大量の結露水が生じても、確実に結露水を露受皿に導くことを目的とした温蔵庫を提供する。
【０００５】
【課題を解決するための手段】
上記目的を達成するための手段として、本発明の請求項１では、前面開口した断熱箱体と、この断熱箱体の前面開口縁に設けられた環状の突部と、前記断熱箱体の前面開口を開閉自在に閉塞する扉と、この扉裏面に設けられ、前記突部と当接するパッキンと、この扉の下方に位置し、前記扉から滴下する結露水を受ける露受皿とを備える温蔵庫において、
前記突部及びパッキンの下辺は、下方傾斜状に設けられている温蔵庫を提供する。
【０００６】
また、請求項２の発明では、突部及び下辺は、左右から中央部に向かって下方傾斜状とした請求項１記載の温蔵庫を提供する。
【０００７】
また、請求項３の発明では、パッキンの傾斜下端部に対応する扉裏面には、パッキンに跨る窪部を形成した請求項１又は２いずれか記載の温蔵庫を提供する。
【０００８】
この様に、突部とパッキンが下方傾斜状になっているため、その傾斜下端部に結露水が集められ、窪部により確実に露受皿へ結露水を導く事ができる。
【０００９】
また、請求項４の発明では、扉裏面に親水性処理を施した請求項１乃至請求項３いずれか記載の温蔵庫を提供する。
【００１０】
また、請求項５の発明では、親水性処理は、親水性塗料である請求項４記載の温蔵庫を提供する。
【００１１】
また、請求項６の発明では、親水性処理は、格子状の筋を形成したものである請求項４記載の温蔵庫を提供する。
【００１２】
この様に、扉裏面に、親水性塗料、或いは格子状の筋を形成し親水性処理を施しているため、扉裏面に付着した結露水は、確実に露受皿へ導く事ができる。
【００１３】
また、請求項７の発明では、格子状の筋は、樹脂の一体成形である請求項６記載の温蔵庫を提供する。
【００１４】
この様に、一体成形する事により、別部品を取り付ける事無く、コストを低く押さえる事ができる。
【００１５】
【発明の実施の形態】
以下、本発明の実施の形態を図面に基づいて説明する。
【００１６】
図１は本発明を具備する温蔵庫の正面図、図２は図１の扉を外した正面図、図３は扉裏面側からの正面図、図４は本発明を具備する温蔵庫の縦側断面図、図５は本発明の要部拡大図、図６は格子状の筋を形成した扉裏面からの正面図である。
【００１７】
図１において、１はタオル蒸し器などに代表される温蔵庫本体で、この温蔵庫１は、前面に開口２を有する断熱箱体３と、この断熱箱体３の前面開口２を開閉自在に閉塞する断熱扉４とからなるものである。
【００１８】
尚、この断熱扉４の左側には、扉開閉のための把手４Ａが形成されている。
【００１９】
そして、前記断熱箱体３は、内部に収納室５を画成する熱良導性（例えば、ステンレス、アルミニウム）の部材にて形成された内箱６と、この内箱６と所定の間隔を存して設けられ、鋼板にて形成された外箱７と、この外箱７及び内箱６の間に設けられたグラスウールなどの断熱材８とよりなる。
【００２０】
また、前記内箱６の外周面には、収納室５を加熱するための加熱手段として電気ヒータ９が巻回されている。
【００２１】
尚、１０はオシボリなどを収納載置するための収納棚で、１１は温蔵庫１を支持するため、断熱箱体３底面の四隅に取り付けられた台脚、１２は電源スイッチ、１３は前記断熱扉４を開閉自在に支持するヒンジである。
【００２２】
更に、前記温蔵庫１の前部の下であって、前記断熱箱体３と断熱扉４に跨る位置には、断熱箱体３の開口２縁や断熱扉４の裏面側に生じる結露水を受ける露受皿１４が設けられている。
【００２３】
以上の構成にして本発明の要部を説明する。
【００２４】
前記断熱箱体３の開口２縁には、開口２を囲う突部１５が設けられている。そして、この突部１５の底辺１５Ａは中央部に向かって下方傾斜状となっている。
【００２５】
また、前記断熱扉４の裏面には、断熱扉４閉塞時、前記突部１５と当接し、ゴムなどの軟質部材にて形成されたパッキン１６が設けられている。このパッキン１６は内部が中空に形成されており、断熱扉４閉塞時の衝撃を吸収するものである。尚、このパッキン１６も前記突部１５と同様に底辺１６Ａが中央部に向かって下方傾斜状となっている。
【００２６】
更に、前記断熱扉４の裏面の傾斜下端部１６Ｂ、即ち中央下部には、前記パッキン１６に跨って窪部１７が形成されている。
【００２７】
尚、前述した突部１５及びパッキン１６の傾斜は、前記ヒンジ１３側や断熱扉４の開放端側であっても良い。
【００２８】
更に、四隅に設けられた前記台脚１１の内、前２脚の上方であって、且つ前記断熱箱体３の開口２下縁には、上方に頂部が位置し、台脚１１の幅より広い半円形の案内部１８が設けられている。
【００２９】
以上の如き構成により、前記収納室５に大量のオシボリを収納し、大量の蒸気による大量に結露水が発生しても、結露水は、断熱扉４閉塞時に前記突部１５とパッキン１６の底辺１５Ａ、１６Ａを伝って、傾斜下端部１６Ｂである中央部に導かれ、パッキン１６を乗り越えて前記窪部１７に入り、この窪部１７から前記露受皿１４に導かれる。
【００３０】
以上により、断熱扉４側に大量の結露水が残る事を防止し、扉開閉時の結露水の飛び散りを極力防止する事ができる。
【００３１】
更に、前記断熱扉４の裏面側に親水性処理を施しても良い。この親水性処理は、断熱扉４の裏面側に親水性塗料を塗布するか、図６に示す如く、格子状の筋を形成するものである。
【００３２】
この格子状の筋の場合、断熱扉４の裏面に網状のものを貼着しても良いし、前記断熱扉４の裏板を樹脂にて形成し、格子状の筋を一体成形としても良い。
【００３３】
この様に、断熱扉４の裏面に親水性処理を施す事により、断熱扉４の裏面に付着する結露水が水滴とならず拡散するため、断熱扉４を開けた時に結露水が飛び散ってしまう事を極力防止できる。
【００３４】
【発明の効果】
以上詳述した如く、本発明によると、突部とパッキンが下方傾斜状になっているため、その傾斜下端部に結露水が集められ、窪部により確実に露受皿へ結露水を導く事ができる。
【００３５】
更に、扉裏面に、親水性塗料、或いは格子状の筋を形成し親水性処理を施しているため、扉裏面に付着した結露水は、確実に露受皿へ導く事ができる。
【００３６】
従って、扉を開けた時に結露水が飛び散ってしまう事を極力防止できる。
【００３７】
更にまた、格子状の筋を一体成形する事により、別部品を取り付ける事無く、コストを低く押さえる事ができる。
【図面の簡単な説明】
【図１】本発明を具備する温蔵庫の正面図である。
【図２】図１の扉を外した正面図である。
【図３】扉裏面側からの正面図である。
【図４】本発明を具備する温蔵庫の縦側断面図である。
【図５】本発明の要部拡大図である。
【図６】格子状の筋を形成した扉裏面からの正面図である。
【符号の説明】
１  温蔵庫
２  開口
３  断熱箱体
４  断熱扉
１４  露受皿
１５  突部
１６  パッキン
【図１】
0004368001.tif 000002
【図２】
0004368001.tif 000003
【図３】
0004368001.tif 000004
【図４】
0004368001.tif 000005
【図５】
0004368001.tif 000006
【図６】
0004368001.tif 000007